(57)【要約】      （修正有）【課題】計器の指針が滑らかに回転するように見せることができる表示装置を提供する。【解決手段】複数のプリズム１ａが同心円状に配列されたプリズムシート１に対して光源２からの光を照射することにより、同心円の中心部から同心円の径方向に延びているように見える光線像１ｂを形成し、その光線像１ｂを計器の指針として用いる表示装置において、単一の光源２を回転体３に搭載し、回転体３を滑らかに回転させる。詳細には、同心円状の複数のプリズム１ａの中心軸線ＣＬ１ａと回転体３の中心軸線ＣＬ３とを一致させる。【選択図】図２
2008180823.tif 000002
【特許請求の範囲】
【請求項１】
複数のプリズムが同心円状に配列されたプリズムシートに対して光源からの光を照射することにより、同心円の中心部から同心円の径方向に延びているように見える光線像を形成し、その光線像を計器の指針として用いる表示装置において、単一の光源を回転体に搭載し、前記回転体を滑らかに回転させることにより、計器の指針が滑らかに回転するように見せることを特徴とする表示装置。
【請求項２】
複数のプリズムの中心軸線と回転体の中心軸線とを一致させたことを特徴とする請求項１に記載の表示装置。
【請求項３】
同心円状の複数のプリズムの内縁よりも内側に前記単一の光源を配置したことを特徴とする請求項１又は２に記載の表示装置。
【請求項４】
前記プリズムシートの中心部に穴を形成したことを特徴とする請求項１〜３のいずれか一項に記載の表示装置。
【請求項５】
前記回転体の一部を前記プリズムシートの前記穴内に挿入したことを特徴とする請求項４に記載の表示装置。
【請求項６】
複数のプリズムが同心円状に配列された他のプリズムシートを前記単一の光源の背面側に配置し、前記他のプリズムシートの複数のプリズムの中心軸線と回転体の中心軸線とを一致させたことを特徴とする請求項３〜５のいずれか一項に記載の表示装置。
【請求項７】
ミラー板を前記単一の光源の背面側に配置したことを特徴とする請求項１〜６のいずれか一項に記載の表示装置。
【請求項８】
前記単一の光源として、複数の異なる色の光を照射することができる光源を用いたことを特徴とする請求項１〜６のいずれか一項に記載の表示装置。
【発明の詳細な説明】
【技術分野】
【０００１】
本発明は、複数のプリズムが同心円状に配列されたプリズムシートに対して光源からの光を照射することにより、同心円の中心部から同心円の径方向に延びているように見える光線像を形成し、その光線像を計器の指針として用いる表示装置に関し、特には、計器の指針が滑らかに回転するように見せることができる表示装置に関する。
【背景技術】
【０００２】
従来から、複数のプリズムが同心円状に配列されたプリズムシートに対して光源からの光を照射することにより、同心円の中心部から同心円の径方向に延びているように見える光線像を形成し、その光線像を計器の指針として用いる表示装置が知られている。この種の表示装置の例としては、例えば特開２０００−３５７７０号公報などに記載されたものがある。
【０００３】
特開２０００−３５７７０号公報に記載された表示装置では、複数のプリズムを同心円状に配列することにより、プリズムシート（プリズム板）が構成されている。更に、その同心円の周方向に、複数の光源（発光体）が等間隔に配列されている。
【０００４】
詳細には、特開２０００−３５７７０号公報に記載された表示装置では、複数の光源（発光体）のいずれかを点灯し、その光源（発光体）からプリズムシート（プリズム板）に光を照射することにより、プリズムシート（プリズム板）の同心円の中心部から同心円の径方向に延びているように見える光線像が形成される。更に、その光線像が、例えばスピードメータ、タコメータなどのような計器の指針として用いられる。
【０００５】
特開２０００−３５７７０号公報に記載された表示装置では、計器の指針が回転するように見せる場合には、同心円の周方向に等間隔に配列されている複数の光源（発光体）のうち、点灯していた光源（発光体）が消灯せしめられ、代わりに、その光源（発光体）の隣の光源（発光体）が点灯せしめられる。その結果、光線像が回転移動するように見え、計器の指針が回転するように見える。
【０００６】
ところで、特開２０００−３５７７０号公報に記載された表示装置では、光源（発光体）として、例えば蛍光表示管、ＬＥＤなどのような比較的幅寸法の大きいものが用いられている。そのため、そのような光源（発光体）を同心円の周方向に隙間無く配列したとしても、多数の光源（発光体）を同心円の周方向に配列することができない。
【０００７】
その結果、特開２０００−３５７７０号公報に記載された表示装置では、ある光源（発光体）が点灯している時に見える光線像と、その光源（発光体）の隣の光源（発光体）が点灯している時に見える光線像との間隔が比較的広くなってしまう。
【０００８】
換言すれば、特開２０００−３５７７０号公報に記載された表示装置では、計器の指針が滑らかに回転するように見えるのではなく、計器の指針がステップ状に回転するように見えてしまう。
【０００９】
【特許文献１】特開２０００−３５７７０号公報
【発明の開示】
【発明が解決しようとする課題】
【００１０】
前記問題点に鑑み、本発明は、計器の指針が滑らかに回転するように見せることができる表示装置を提供することを目的とする。
【課題を解決するための手段】
【００１１】
請求項１に記載の発明によれば、複数のプリズムが同心円状に配列されたプリズムシートに対して光源からの光を照射することにより、同心円の中心部から同心円の径方向に延びているように見える光線像を形成し、その光線像を計器の指針として用いる表示装置において、単一の光源を回転体に搭載し、前記回転体を滑らかに回転させることにより、計器の指針が滑らかに回転するように見せることを特徴とする表示装置が提供される。
【００１２】
請求項２に記載の発明によれば、複数のプリズムの中心軸線と回転体の中心軸線とを一致させたことを特徴とする請求項１に記載の表示装置が提供される。
【００１３】
請求項３に記載の発明によれば、同心円状の複数のプリズムの内縁よりも内側に前記単一の光源を配置したことを特徴とする請求項１又は２に記載の表示装置が提供される。
【００１４】
請求項４に記載の発明によれば、前記プリズムシートの中心部に穴を形成したことを特徴とする請求項１〜３のいずれか一項に記載の表示装置が提供される。
【００１５】
請求項５に記載の発明によれば、前記回転体の一部を前記プリズムシートの前記穴内に挿入したことを特徴とする請求項４に記載の表示装置が提供される。
【００１６】
請求項６に記載の発明によれば、複数のプリズムが同心円状に配列された他のプリズムシートを前記単一の光源の背面側に配置し、前記他のプリズムシートの複数のプリズムの中心軸線と回転体の中心軸線とを一致させたことを特徴とする請求項３〜５のいずれか一項に記載の表示装置が提供される。
【００１７】
請求項７に記載の発明によれば、ミラー板を前記単一の光源の背面側に配置したことを特徴とする請求項１〜６のいずれか一項に記載の表示装置が提供される。
【００１８】
請求項８に記載の発明によれば、前記単一の光源として、複数の異なる色の光を照射することができる光源を用いたことを特徴とする請求項１〜６のいずれか一項に記載の表示装置が提供される。
【発明の効果】
【００１９】
請求項１及び２に記載の表示装置では、複数の光源が同心円状の複数のプリズムの周方向に等間隔に配列されるのではなく、単一の光源が回転体に搭載され、その回転体が滑らかに回転せしめられる。詳細には、複数のプリズムの中心軸線と、回転体の中心軸線とが、一致せしめられている。
【００２０】
そのため、請求項１及び２に記載の表示装置によれば、計器の指針が滑らかに回転するように見せることができる。詳細には、請求項１及び２に記載の表示装置によれば、同心円状の複数のプリズムの周方向に等間隔に配列された複数の光源が順次点灯せしめられる場合よりも、計器の指針が滑らかに回転するように見せることができる。
【００２１】
請求項３に記載の表示装置では、単一の光源が、同心円状の複数のプリズムの内縁よりも内側に配置されている。そのため、請求項３に記載の表示装置によれば、単一の光源が同心円状の複数のプリズムの内縁よりも外側に配置されている場合よりも、単一の光源が搭載される回転体の直径を小さくすることができ、それにより、表示装置全体を小型化することができる。
【００２２】
請求項４に記載の表示装置では、プリズムシートの中心部に穴が形成されている。そのため、請求項４に記載の表示装置によれば、同心円状の複数のプリズムの中心部から径方向に延びているように見える光線像が、複数のプリズムの中心軸線を隔てて反対側に延びているように見えてしまうおそれを回避することができる。
【００２３】
請求項５に記載の表示装置では、単一の光源が搭載される回転体の一部が、プリズムシートの中心部の穴内に挿入されている。そのため、請求項５に記載の表示装置によれば、回転体の全てがプリズムシートの背面側に配置されている場合よりも、表示装置全体の厚さ寸法（奥行き寸法）を小さくすることができる。
【００２４】
請求項６に記載の表示装置では、複数のプリズムが同心円状に配列された他のプリズムシートが、単一の光源の背面側に配置されている。更に、他のプリズムシートの複数のプリズムの中心軸線と回転体の中心軸線とが一致せしめられている。そのため、請求項６に記載の表示装置によれば、１枚のみのプリズムシートが設けられている場合よりも、光線像の光を強くすることができる。つまり、光源の発光量を増加させることなく、光線像の光を強くすることができる。
【００２５】
請求項７に記載の表示装置では、ミラー板が単一の光源の背面側に配置されている。そのため、請求項７に記載の表示装置によれば、ミラー板が設けられていない場合よりも、光線像の光を強くすることができる。つまり、光源の発光量を増加させることなく、光線像の光を強くすることができる。
【００２６】
請求項８に記載の表示装置では、回転体に搭載される単一の光源として、複数の異なる色の光を照射することができる光源が用いられている。そのため、請求項８に記載の表示装置によれば、計器の指針として、表示装置の使用者が好む色の光線像を形成することができる。
【発明を実施するための最良の形態】
【００２７】
以下、本発明の表示装置の第１の実施形態について説明する。図１は例えば車両の速度計に適用された第１の実施形態の表示装置の正面図、図２は図１のＡ−Ａ線に沿った断面図である。図３は複数のプリズム１ａが同心円状に配列されたプリズムシート１の後側面図である。つまり、図３はプリズムシート１を図２の右側から見た図である。
【００２８】
図１〜図３において、１ａ１は同心円状の複数のプリズム１ａの内縁を示しており、１ｂは同心円の中心部から同心円の径方向に延びているように見える光線像を示している。１ｃはプリズムシート１の中心部に形成された穴を示しており、２は例えばＬＥＤのような光源を示している。３は光源２を搭載するための回転体を示しており、４は回転体３を回転させるためのモータを示している。５は例えば文字５ａおよび目盛り５ｂを有する指標部を示しており、６はハウジングを示している。
【００２９】
第１の実施形態の表示装置では、図２および図３に示すように、複数のプリズム１ａを同心円状に配列することにより、プリズムシート１が構成されている。更に、図２に示すように、同心円状の複数のプリズム１ａの内縁１ａ１よりも内側（同心円状の複数のプリズム１ａの中心軸線ＣＬ１ａの側）に光源２が配置されている。
【００３０】
そのため、第１の実施形態の表示装置では、光源２が点灯されると、光源２から照射された光が、図２に示すように同心円状の複数のプリズム１ａによって屈折せしめられ、その結果、図１および図２に示すように、同心円状の複数のプリズム１ａの中心部から径方向に延びているように見える光線像１ｂが形成され、この光線像１ｂが計器の指針として機能する。
【００３１】
詳細には、第１の実施形態の表示装置では、例えば図１および図２に示すように、光源２がプリズム１ａの中心軸線ＣＬ１ａの真上に配置されている場合には、光源２が点灯されると、図１に示すように、プリズムシート１の中心部から真上に延びているように見える光線像１ｂが形成され、その結果、この光線像１ｂによって車速８０ｋｍ／ｈが表示される。
【００３２】
更に、第１の実施形態の表示装置では、例えば光源２がプリズム１ａの中心軸線ＣＬ１ａの真左（図１参照）に配置されている場合には、光源２が点灯されると、プリズムシート１の中心部から真左（図１参照）に延びているように見える光線像１ｂが形成され、その結果、この光線像１ｂによって車速２０ｋｍ／ｈが表示される。
【００３３】
また、第１の実施形態の表示装置では、例えば光源２がプリズム１ａの中心軸線ＣＬ１ａの真右（図１参照）に配置されている場合には、光源２が点灯されると、プリズムシート１の中心部から真右（図１参照）に延びているように見える光線像１ｂが形成され、その結果、この光線像１ｂによって車速１４０ｋｍ／ｈが表示される。
【００３４】
更に、第１の実施形態の表示装置では、図２に示すように、同心円状の複数のプリズム１ａの中心軸線ＣＬ１ａと回転体３の中心軸線ＣＬ３とが一致せしめられており、光源２が搭載された回転体３が、車速の増減に応じて、モータ４によって滑らかに回転せしめられる。そのため、第１の実施形態の表示装置によれば、光線像１ｂを滑らかに回転させることができ、計器の指針が滑らかに回転するように見せることができる。
【００３５】
また、第１の実施形態の表示装置では、図２に示すように、光源２が同心円状の複数のプリズム１ａの内縁１ａ１よりも内側（同心円状の複数のプリズム１ａの中心軸線ＣＬ１ａの側）に配置されている。そのため、第１の実施形態の表示装置によれば、光源２が同心円状の複数のプリズム１ａの内縁１ａ１よりも外側（同心円状の複数のプリズム１ａの中心軸線ＣＬ１ａの反対側）に配置されている場合よりも、光源２が搭載される回転体３の直径を小さくすることができ、それにより、表示装置全体を小型化することができる。
【００３６】
更に、第１の実施形態の表示装置では、図２および図３に示すように、プリズムシート１の中心部に穴１ｃが形成されている。そのため、第１の実施形態の表示装置によれば、同心円状の複数のプリズム１ａの中心部から径方向に延びているように見える光線像１ｂが、同心円状の複数のプリズム１ａの中心軸線ＣＬ１ａを隔てて反対側に延びているように見えてしまうおそれを回避することができる。詳細には、例えば図１に示すように、光源２がプリズム１ａの中心軸線ＣＬ１ａの真上に配置されている時に、光線像１ｂがプリズムシート１の中心部から真下に延びているように見えてしまうおそれを、プリズムシート１の中心部の穴１ｃによって回避することができる。
【００３７】
また、第１の実施形態の表示装置では、図２に示すように、光源２が搭載される回転体３の一部が、プリズムシート１の中心部の穴１ｃ内に挿入されている。そのため、第１の実施形態の表示装置によれば、回転体３の全てがプリズムシート１の背面側（図２の右側）に配置されている場合よりも、表示装置全体の厚さ寸法（奥行き寸法、図２の左右方向寸法）を小さくすることができる。
【００３８】
更に、第１の実施形態の表示装置では、例えば車両のアクセサリスイッチがＯＦＦの時に光源２が消灯され、車両のアクセサリスイッチがＯＮの時に光源２が点灯される。
【００３９】
第１の実施形態の表示装置では、図２に示すように、プリズム１ａの断面形状が略半円形になるようにプリズム１ａが構成されているが、第２の実施形態の表示装置では、代わりに、プリズム１ａの断面形状が例えば多角形になるようにプリズム１ａを構成することも可能である。
【００４０】
第１の実施形態の表示装置では、回転体３に搭載される光源２として、１色のみの光を照射することができる光源が用いられているが、第３の実施形態の表示装置では、代わりに、回転体３に搭載される光源２として、複数の異なる色の光を選択的に照射することができる光源を用いることも可能である。第３の実施形態の表示装置によれば、計器の指針として、車両の運転者が好む色の光線像１ｂを形成することができる。
【００４１】
図４は第４の実施形態の表示装置のプリズムシート１および指標部５の断面図である。第１の実施形態の表示装置では、図２に示すように、プリズムシート１と指標部５とが別部材によって構成されているが、第４の実施形態の表示装置では、代わりに、図４に示すように、プリズムシート１と指標部５とが一部材によって構成されている。第４の実施形態の表示装置によれば、第１の実施形態の表示装置よりも表示装置全体の厚さ寸法（奥行き寸法）を小さくすることができる。
【００４２】
図５は第５の実施形態の表示装置のプリズムシート１を示した図である。詳細には、図５（Ａ）は第５の実施形態の表示装置のプリズムシート１の正面図、図５（Ｂ）は第５の実施形態の表示装置のプリズムシート１の断面図である。第１の実施形態の表示装置では、図２に示すように、同心円状の複数のプリズム１ａがプリズムシート１の裏面（光源２の側の面）に形成されているが、第５の実施形態の表示装置では、代わりに、図５（Ｂ）に示すように、同心円状の複数のプリズム１ａがプリズムシート１の表面（光源２の反対側の面）に形成されている。
【００４３】
図６は第６の実施形態の表示装置のプリズムシート１を示した図である。詳細には、図６（Ａ）は第６の実施形態の表示装置のプリズムシート１の正面図、図６（Ｂ）は第６の実施形態の表示装置のプリズムシート１の断面図である。第１の実施形態の表示装置では、図２に示すように、同心円状の複数のプリズム１ａがプリズムシート１の裏面（光源２の側の面）に形成されているが、第６の実施形態の表示装置では、代わりに、図６（Ｂ）に示すように、同心円状の複数のプリズム１ａがプリズムシート１の両面に形成されている。
【００４４】
以下、本発明の表示装置の第７の実施形態について説明する。第７の実施形態の表示装置は、後述する点を除き、上述した第１の実施形態の表示装置と同様に構成されている。従って、第７の実施形態の表示装置によれば、後述する点を除き、上述した第１の実施形態の表示装置とほぼ同様の効果を奏することができる。
【００４５】
図７は第７の実施形態の表示装置の断面図である。図８は複数のプリズム１１ａが同心円状に配列されたプリズムシート１１の正面図である。つまり、図８はプリズムシート１１を図７の左側から見た図である。
【００４６】
第７の実施形態の表示装置では、図７および図８に示すように、複数のプリズム１１ａを同心円状に配列することにより、プリズムシート１１が構成されている。更に、プリズムシート１１が光源２の背面側（図７の右側）に配置され、プリズムシート１１の同心円状の複数のプリズム１１ａの中心軸線ＣＬ１１ａと、回転体３の中心軸線ＣＬ３とが一致せしめられている。
【００４７】
つまり、第７の実施形態の表示装置では、図７に示すように、光源２から背面側（図７の右側）に放射された光が、プリズムシート１１の同心円状の複数のプリズム１１ａによって屈折せしめられ、次いで、プリズムシート１を透過せしめられて、表面側（図７の左側）に照射される。
【００４８】
そのため、第７の実施形態の表示装置によれば、プリズムシート１１が設けられていない第１の実施形態の表示装置よりも、光線像１ｂの光を強くすることができる。つまり、光源２の発光量を増加させることなく、光線像１ｂの光を強くすることができる。
【００４９】
図９は第８の実施形態の表示装置のプリズムシート１１を示した図である。詳細には、図９（Ａ）は第８の実施形態の表示装置のプリズムシート１１の断面図、図９（Ｂ）は第８の実施形態の表示装置のプリズムシート１１の後側面図である。第７の実施形態の表示装置では、図７に示すように、同心円状の複数のプリズム１１ａがプリズムシート１１の表面（光源２の側の面）に形成されているが、第８の実施形態の表示装置では、代わりに、図９（Ａ）に示すように、同心円状の複数のプリズム１１ａがプリズムシート１１の裏面（光源２の反対側の面）に形成されている。
【００５０】
図１０は第９の実施形態の表示装置のプリズムシート１１を示した図である。詳細には、図１０（Ａ）は第９の実施形態の表示装置のプリズムシート１１の断面図、図１０（Ｂ）は第９の実施形態の表示装置のプリズムシート１１の後側面図である。第７の実施形態の表示装置では、図７に示すように、同心円状の複数のプリズム１１ａがプリズムシート１１の表面（光源２の側の面）に形成されているが、第９の実施形態の表示装置では、代わりに、図１０（Ａ）に示すように、同心円状の複数のプリズム１１ａがプリズムシート１１の両面に形成されている。
【００５１】
以下、本発明の表示装置の第１０の実施形態について説明する。第１０の実施形態の表示装置は、後述する点を除き、上述した第１の実施形態の表示装置と同様に構成されている。従って、第１０の実施形態の表示装置によれば、後述する点を除き、上述した第１の実施形態の表示装置とほぼ同様の効果を奏することができる。
【００５２】
図１１は第１０の実施形態の表示装置の断面図である。図１１において、２１は光源２からの光を反射するためのミラー板を示している。
【００５３】
第１０の実施形態の表示装置では、図１１に示すように、ミラー板２１が光源２の背面側（図１１の右側）に配置されている。つまり、第１０の実施形態の表示装置では、図１１に示すように、光源２から背面側（図１１の右側）に放射された光が、ミラー板２１によって反射され、次いで、プリズムシート１を透過せしめられて、表面側（図１１の左側）に照射される。
【００５４】
そのため、第１０の実施形態の表示装置によれば、ミラー板２１が設けられていない第１の実施形態の表示装置よりも、光線像１ｂの光を強くすることができる。つまり、光源２の発光量を増加させることなく、光線像１ｂの光を強くすることができる。
【００５５】
以下、本発明の表示装置の第１１の実施形態について説明する。第１１の実施形態の表示装置は、後述する点を除き、上述した第７の実施形態の表示装置と同様に構成されている。従って、第１１の実施形態の表示装置によれば、後述する点を除き、上述した第７の実施形態の表示装置とほぼ同様の効果を奏することができる。
【００５６】
図１２は第１１の実施形態の表示装置の断面図である。第１１の実施形態の表示装置では、図１２に示すように、ミラー板２１がプリズムシート１１の背面側（図１２の右側）に配置されている。つまり、第１１の実施形態の表示装置では、図１２に示すように、プリズムシート１１を背面側（図１２の右側）に透過した光が、ミラー板２１によって反射され、次いで、プリズムシート１１およびプリズムシート１を表面側（図１２の左側）に透過せしめられ、表面側（図１２の左側）に照射される。
【００５７】
そのため、第１１の実施形態の表示装置によれば、ミラー板２１が設けられていない第７の実施形態の表示装置よりも、光線像１ｂの光を強くすることができる。つまり、光源２の発光量を増加させることなく、光線像１ｂの光を強くすることができる。
【００５８】
以下、本発明の表示装置の第１２の実施形態について説明する。第１２の実施形態の表示装置は、後述する点を除き、上述した第１の実施形態の表示装置と同様に構成されている。従って、第１２の実施形態の表示装置によれば、後述する点を除き、上述した第１の実施形態の表示装置とほぼ同様の効果を奏することができる。
【００５９】
図１３は第１２の実施形態の表示装置の断面図である。第１の実施形態の表示装置では、図２に示すように、同心円状の複数のプリズム１ａの内縁１ａ１よりも内側（同心円状の複数のプリズム１ａの中心軸線ＣＬ１ａの側）に光源２が配置されているが、第１２の実施形態の表示装置では、代わりに、図１３に示すように、同心円状の複数のプリズム１ａの外縁１ａ２よりも外側（同心円状の複数のプリズム１ａの中心軸線ＣＬ１ａの反対側）に光源２が配置されている。
【００６０】
第１２の実施形態の表示装置では、第１の実施形態の表示装置と同様に、光源２が点灯されると、光源２から照射された光が、図１３に示すように同心円状の複数のプリズム１ａによって屈折せしめられ、その結果、図１および図１３に示すように、同心円状の複数のプリズム１ａの中心部から径方向に延びているように見える光線像１ｂが形成され、この光線像１ｂが計器の指針として機能する。
【００６１】
更に、第１２の実施形態の表示装置では、第１の実施形態の表示装置と同様に、図１３に示すように、同心円状の複数のプリズム１ａの中心軸線ＣＬ１ａと回転体３の中心軸線ＣＬ３とが一致せしめられており、光源２が搭載された回転体３が、車速の増減に応じて、モータ４によって滑らかに回転せしめられる。そのため、第１２の実施形態の表示装置によれば、第１の実施形態の表示装置と同様に、光線像１ｂを滑らかに回転させることができ、計器の指針が滑らかに回転するように見せることができる。
【００６２】
また、第１２の実施形態の表示装置では、第１の実施形態の表示装置と同様に、図１３に示すように、プリズムシート１の中心部に穴１ｃが形成されている。そのため、第１２の実施形態の表示装置によれば、第１の実施形態の表示装置と同様に、同心円状の複数のプリズム１ａの中心部から径方向に延びているように見える光線像１ｂが、同心円状の複数のプリズム１ａの中心軸線ＣＬ１ａを隔てて反対側に延びているように見えてしまうおそれを回避することができる。詳細には、例えば図１３に示すように、光源２がプリズム１ａの中心軸線ＣＬ１ａの真上に配置されている時に、光線像１ｂがプリズムシート１の中心部から真下に延びているように見えてしまうおそれを、プリズムシート１の中心部の穴１ｃによって回避することができる。
【００６３】
第１２の実施形態の表示装置では、回転体３の表面に鏡面加工が施されていないが、第１３の実施形態の表示装置では、代わりに、回転体３の表面側（図１３の左側）の表面に鏡面加工を施すことも可能である。
【００６４】
つまり、第１３の実施形態の表示装置では、光源２から背面側（図１３の右側）に放射された光が、回転体３の鏡面によって反射され、次いで、プリズムシート１を透過せしめられて、表面側（図１３の左側）に照射される。そのため、第１３の実施形態の表示装置によれば、鏡面加工が施されていない第１２の実施形態の表示装置よりも、光線像１ｂの光を強くすることができる。つまり、光源２の発光量を増加させることなく、光線像１ｂの光を強くすることができる。
【００６５】
第１４の実施形態では、上述した第１から第１３の実施形態を適宜組合わせることも可能である。
【産業上の利用可能性】
【００６６】
本発明の表示装置は、指針による表示が行われる例えば自動車、航空機、船舶などの例えば速度計、タコメータなどの計器に適用可能である。
【図面の簡単な説明】
【００６７】
【図１】第１の実施形態の表示装置の正面図である。
【図２】図１のＡ−Ａ線に沿った断面図である。
【図３】複数のプリズム１ａが同心円状に配列されたプリズムシート１の後側面図である。
【図４】第４の実施形態の表示装置のプリズムシート１および指標部５の断面図である。
【図５】第５の実施形態の表示装置のプリズムシート１を示した図である。
【図６】第６の実施形態の表示装置のプリズムシート１を示した図である。
【図７】第７の実施形態の表示装置の断面図である。
【図８】複数のプリズム１１ａが同心円状に配列されたプリズムシート１１の正面図である。
【図９】第８の実施形態の表示装置のプリズムシート１１を示した図である。
【図１０】第９の実施形態の表示装置のプリズムシート１１を示した図である。
【図１１】第１０の実施形態の表示装置の断面図である。
【図１２】第１１の実施形態の表示装置の断面図である。
【図１３】第１２の実施形態の表示装置の断面図である。
【符号の説明】
【００６８】
１              プリズムシート
１ａ            プリズム
１ａ１          内縁
１ｂ            光線像
１ｃ            穴
２              光源
３              回転体
４              モータ
５              指標部
５ａ            文字
５ｂ            目盛り
６              ハウジング
【図１】
2008180823.tif 000003
【図２】
2008180823.tif 000004
【図３】
2008180823.tif 000005
【図４】
2008180823.tif 000006
【図５】
2008180823.tif 000007
【図６】
2008180823.tif 000008
【図７】
2008180823.tif 000009
【図８】
2008180823.tif 000010
【図９】
2008180823.tif 000011
【図１０】
2008180823.tif 000012
【図１１】
2008180823.tif 000013
【図１２】
2008180823.tif 000014
【図１３】
2008180823.tif 000015